(57)【要約】【課題】  物品の出し入れが容易であると共に、乳母車の折畳み動作にも追従できる物品収納かごおよびそれを備えた折畳式乳母車を提供する。【解決手段】  折畳式乳母車１は、座部３および背もたれ部４を有し、折畳み状態において座部３および背もたれ部４が互いに近づくようにされた車体２と、座部３の下に配置される物品収納かご２０とを備える。物品収納かご２０は、座部３の下で前後方向に延びる前方枠２１と、前方枠２１の後方端に回動可能に連結されて前後方向に延びる後方枠２２と、前方枠２１に対する後方枠２２の回動を禁止するロック機構３０とを含む。後方枠２２は、物品収納かご２０の後部を開放する下方位置と、ほぼ水平に延在する水平位置と、その後方端が背もたれ部４に近接する上方位置との間を回動し得るようにされている。ロック機構３０は、後方枠２２を水平位置で固定する水平位置固定手段を含む。【選択図】      図３
2005329844.tif 000002
【特許請求の範囲】
【請求項１】
座部および背もたれ部を有し、折畳み状態において座部および背もたれ部が互いに近づくようにされた車体と、
前記座部の下に配置される物品収納かごとを備え、
前記物品収納かごは、前記座部の下で前後方向に延びる前方枠と、前記前方枠の後方端に回動可能に連結されて前後方向に延びる後方枠と、前記前方枠に対する前記後方枠の回動を禁止するロック機構とを含み、
前記後方枠は、前記物品収納かごの後部を開放する下方位置と、ほほ水平に延在する水平位置と、その後方端が前記背もたれ部に近接する上方位置との間を回動し得るようにされており、
前記ロック機構は、前記後方枠を前記水平位置で固定する水平位置固定手段を含む、物品収納かごを備えた折畳式乳母車。
【請求項２】
前記上方位置にある前記後方枠は、前記前方枠に対する回動が許容される状態にあり、
当該乳母車は、上方位置にある前記後方枠の後方端と前記車体とを連結する連結部材を備える、請求項１に記載の物品収納かごを備えた折畳式乳母車。
【請求項３】
前記後方枠は、前後方向に延びる１対の側枠と、１対の側枠の後方端を連結する後端枠とからなるＵ字形状を有しており、
前記ロック機構は、前記１対の側枠の前方端において前後方向に変位可能な１対の変位部材と、前記前方枠の後方端において前記１対の変位部材に係合して前記後方枠の位置を固定する係合手段と、前記１対の変位部材と前記前方枠との係合状態を解除するロック状態解除手段とを含み、
前記ロック状態解除手段は、前記後端枠に変位可能に取り付けられた操作部材と、前記操作部材と前記１対の変位部材とを連結する連結部材とを備える、請求項１または２に記載の物品収納かごを備えた折畳式乳母車。
【請求項４】
前記後方枠は、前後方向に延びる１対の側枠と、１対の側枠の後方端を連結する後端枠とからなるＵ字形状を有しており、
前記ロック機構は、前記１対の側枠の前方端において前後方向に変位可能な１対の変位部材と、前記前方枠の後方端において前記１対の変位部材に係合して前記後方枠の位置を固定する係合手段と、前記１対の変位部材と前記前方枠との係合状態を解除するロック状態解除手段とを含み、
前記前方枠の係合手段は、前記後方枠が水平位置にあるときに前記変位部材を受入れて変位部材および前記後方枠の上下方向への移動を禁止する係合凹部と、前記後方枠が下方位置にあるとき前記変位部材に下から当接して変位部材および前記後方枠の下方への移動を禁止する当たり止め部と、前記後方枠が上方位置にあるとき前記変位部材の先端に当接してこの変位部材および前記後方枠の回動を許容する当接案内面とを備える、請求項１〜３のいずれかに記載の物品収納かごを備えた折畳式乳母車。
【請求項５】
乳母車の座部の下で前後方向に延びて乳母車車体に固定される前方枠と、
前記前方枠の後方端に回動可能に連結されて前後方向に延びる後方枠と、
前記前方枠に対する前記後方枠の回動を禁止するロック機構と、
前記前方枠および後方枠から下方に吊下げられた物品収容部とを備え、
前記後方枠は、前記物品収容部の後方部を開放する下方位置と、ほほ水平に延在する水平位置と、その後方端が乳母車の背もたれ部に近接する上方位置との間を回動し得るように設けられており、
前記ロック機構は、前記後方枠を前記水平位置で固定する水平位置固定手段を含む、乳母車の物品収納かご。
【発明の詳細な説明】
【技術分野】
【０００１】
この発明は、乳母車に関し、特に座部の下に配置される物品収納かごおよびそれを備えた折畳式乳母車に関するものである。
【背景技術】
【０００２】
座席の座部の下に大きな容積の物品収納かごを取付けた乳母車が、市場に提供されている。この種の乳母車においては、物品の出し入れを容易にするために、物品収納かごの上部開口を形成する枠体が後方に大きく張り出すようにされている。
【０００３】
座席の背もたれ部がほぼ水平状態になるまで後傾可能な乳母車の場合、背もたれ部を水平状態にまで後傾したとき、物品収納かごの上部開口が背もたれ部によって覆われてしまうので、物品の出し入れが困難になる。
【０００４】
上記のような問題点を解決する乳母車用買物かごが、実開平３−２４９６９号公報（特許文献１）に開示されている。この公報に開示された買い物かごの場合、上部開口を形成する枠体のうち、後半部を必要に応じて下方に折り曲げできるように構成し、それにより背もたれ部がほぼ水平状態にまで後傾している場合にでも、それらの構造体に影響されることなく自由に物品を出し入れすることができるようにしている。
【特許文献１】実開平３−２４９６９号公報
【発明の開示】
【発明が解決しようとする課題】
【０００５】
実開平３−２４９６９号公報に開示された乳母車用買物かごは、乳母車の折畳み動作に追従できるような構造ではない。この公報には、乳母車の折畳み動作について記載がないが、買物かごの構造から判断すると、買物かごを取付けた状態のままでは乳母車を折畳むことができないと思われる。そのため、乳母車を折畳もうとするときには、まず買い物かごを乳母車車体から取り外す作業が必要になると思われる。
【０００６】
この発明の目的は、物品の出し入れが容易であると共に、乳母車の折畳み動作にも追従できる物品収納かごおよびそれを備えた折畳式乳母車を提供することである。
【課題を解決するための手段】
【０００７】
この発明に従った折畳式乳母車は、座部および背もたれ部を有し、折畳み状態において座部および背もたれ部が互いに近づくようにされた車体と、座部の下に配置される物品収納かごとを備える。物品収納かごは、座部の下で前後方向に延びる前方枠と、前方枠の後方端に回動可能に連結されて前後方向に延びる後方枠と、前方枠に対する後方枠の回動を禁止するロック機構とを含む。後方枠は、物品収納かごの後部を開放する下方位置と、ほぼ水平に延在する水平位置と、その後方端が背もたれ部に近接する上方位置との間を回動し得るようにされている。ロック機構は、後方枠を水平位置で固定する水平位置固定手段を含む。
【０００８】
上記構成の折畳式乳母車によれば、物品収納かごの後方枠を背もたれ部に沿わす位置まで上方に回動させることができるので、物品収納かごを取付けた状態のままで乳母車を折畳むことが可能になる。
【０００９】
好ましくは、上方位置にある後方枠は、前方枠に対する回動が許容される状態となっている。この場合、乳母車は、上方位置にある後方枠の後方端と乳母車車体とを連結する連結部材を備える。このような構成であれば、後方枠は、乳母車の折畳み動作に追従して前方枠に対する角度を変えながら上方に回動することができるようになる。
【００１０】
一つの実施形態では、後方枠は、前後方向に延びる１対の側枠と、１対の側枠の後方端を連結する後端枠とからなるＵ字形状を有している。ロック機構は、１対の側枠の前方端において前後方向に変位可能な１対の変位部材と、前方枠の後方端において１対の変位部材に係合して後方枠の位置を固定する係合手段と、１対の変位部材と前方枠との係合状態を解除するロック状態解除手段とを含む。ロック状態解除手段は、後端枠に変位可能に取り付けられた操作部材と、この操作部材と１対の変位部材とを連結する連結部材とを備える。このような構成であれば、後端枠に位置する操作部材を操作することにより、前方枠と後方枠とのロック状態を簡単に解除できる。
【００１１】
また一つの実施形態では、後方枠は、前後方向に延びる１対の側枠と、１対の側枠の後方端を連結する後端枠とからなるＵ字形状を有している。ロック機構は、１対の側枠の前方端において前後方向に変位可能な１対の変位部材と、前方枠の後方端において１対の変位部材に係合して後方枠の位置を固定する係合手段と、１対の変位部材と前方枠との係合状態を解除するロック状態解除手段とを含む。前方枠の係合手段は、後方枠が水平位置にあるときに変位部材を受入れて変位部材および後方枠の上下方向への移動を禁止する係合凹部と、後方枠が下方位置にあるとき変位部材に下から当接して変位部材および後方枠の下方への移動を禁止する当たり止め部と、後方枠が上方位置にあるとき変位部材の先端に当接してこの変位部材および後方枠の回動を許容する当接案内面とを備える。
【００１２】
この発明に従った乳母車の物品収納かごは、乳母車の座部の下で前後方向に延びて乳母車車体に固定される前方枠と、この前方枠の後方端に回動可能に連結されて前後方向に延びる後方枠と、前方枠に対する後方枠の回動を禁止するロック機構と、前方枠および後方枠から下方に吊下げられた物品収容部とを備える。後方枠は、物品収容部の後方部を開放する下方位置と、ほぼ水平に延在する水平位置と、その後方端が乳母車の背もたれ部に近接する上方位置との間を回動し得るように設けられている。ロック機構は、後方枠を水平位置で固定する水平位置固定手段を含む。
【００１３】
上記構成の物品収納かごによれば、例えば背もたれ部をほぼ水平状態にまで後傾させている場合でも、後方枠を下方位置にもたらすことにより物品の出し入れを容易に行なうことができる。また、後方枠を背もたれ部に沿わす位置まで上方に回動させることができるので、物品収納かごを取付けた状態のままで乳母車を折畳むことが可能になる。
【発明を実施するための最良の形態】
【００１４】
図１〜図４は、この発明の一実施形態である物品収納かごを備えた折畳式乳母車を図解的に示している。先ず、図１を参照してこの折畳式乳母車１の概略構成を説明する。
【００１５】
折畳式乳母車１は、座部３および背もたれ部４を有し折畳み状態において座部３および背もたれ部４が互いに近づくようにされた車体２と、座部３の下に配置される物品収納かご２０とを備える。
【００１６】
車体２は、前後方向に延びる手摺部材５と、前輪７を有しその上端が手摺部材５に回動可能に連結された前脚６と、後輪９を有しその上端が手摺部材５に回動可能に連結された後脚８と、その下端部が後脚８に回動可能に連結された反転ブラケット１１と、上下方向に延びその下端が反転ブラケット１１の上方部分に回動可能に連結された押棒１０とを備える。手摺部材５の後方端は、押棒１０の途中位置に回動可能に連結されている。
【００１７】
物品収納かご２０は、座部３の下で前後方向に延びる前方枠２１と、前方枠２１の後方端に連結軸２４を介して回動可能に連結され前後方向に延びる後方枠２２と、前方枠２１に対する後方枠２２の回動を禁止するロック機構３０（図５参照）と、前方枠２１および後方枠２２から下方に吊下げられた袋状の物品収容部２３とを備える。物品収容部２３は、好ましくは柔軟な材料である布地やメッシュ地で形成される。
【００１８】
図示した実施形態では、物品収納かご２０の前方枠２１が座部３を下から支える座部支持部材を兼ねている。この前方枠２１は途中位置において反転ブラケット１１の上方部分に回動可能に連結されている。前方枠２１の後方端は反転ブラケット１１よりも後方に張り出している。前方枠２１の後方端に回動可能に連結された後方枠２２はさらに後方に張り出す。図５に示すように、後方枠２２は、前後方向に延びる１対の側枠２２ａと、１対の側枠２２ａの後方端を連結する後端枠２２ｂとからなるＵ字形状を有している。図１に示すように、物品の出し入れのための上部開口を形成する後方枠２２が後方に大きく張り出しているので、物品の出し入れを容易に行なうことができる。
【００１９】
図１、図２および図３を比較すれば明らかなように、物品収納かご２０の後方枠２２は、物品収納かご２０の後部を開放する下方位置（図２の状態）と、ほぼ水平に延在する水平位置（図１の状態）と、その後方端が背もたれ部４に近接する上方位置（図３の状態）との間を回動し得るように設けられている。ロック機構３０（図５参照）は、後方枠２２を水平位置で固定する水平位置固定手段を含む。
【００２０】
背もたれ部４を起こした状態で乳母車１を移動操作する場合には、図１に示すように後方枠２２を水平位置で固定する。図２に示すように、背もたれ部４をほぼ水平位置にまで後傾させた状態で乳母車１を移動操作しているときに物品を出し入れする場合に、後方枠２２を下方位置にもたらす。後方枠２２が下方位置にあれば、物品収納かご２０の後部が開放されるので、物品の出し入れを容易に行なえる。
【００２１】
乳母車１を折畳もうとするときには、図３に示すように、後方枠２２を背もたれ部４に沿うように上方位置にもたらす。上方位置にある後方枠２２は、前方枠２１に対して固定した関係にあるのではなく、乳母車の折畳み動作に追従して前方枠に対する角度を変える。乳母車１は、このような上方位置にある後方枠２２の後方端と乳母車車体２とを連結する連結部材１２を備える。
【００２２】
図４に示すように、乳母車１は、折畳み状態においては、前輪７と後輪９とを互いに近づけて自立している。物品収納かご２０の後方枠２２は折畳み状態になっている乳母車の背もたれ部４に沿うように位置しており、柔軟な物品収容部２３は、前方枠２１および後方枠２２に沿うように屈曲した形態となっている。なお、図４では反転ブラケット１１の図示を省略している。
【００２３】
次に図５〜図９を参照して、ロック機構３０およびロック解除機構について説明する。
【００２４】
図５および図６に示すように、ロック機構３０は、１対の側枠２２ａの前方端において前後方向に変位可能な１対の変位部材３１と、前方枠２１の後方端において１対の変位部材３１に係合して後方枠２２の位置を固定する係合手段４０と、１対の変位部材３１と前方枠２１との係合状態を解除するロック状態解除手段５０とを備える。各変位部材３１は、側枠２２ａの内壁に沿って前後に移動可能であり、ばね受け３３に支持されたばね３２によって前方に移動するように付勢されている。
【００２５】
図７および図８に示すように、ロック状態解除手段５０は、後方枠２２の後端枠２２ｂのほぼ中央に変位可能に取付けられた操作部材３５と、操作部材３５と１対の変位部材３１とを連結する連結部材３４とを備える。図示した実施形態では、連結部材３４は１対のワイヤであり、各ワイヤ３４の一端は変位部材３１に連結され、他端はガイドピン３７を通過して操作部材３５の内側領域に位置する固定点３６で後端枠２２ｂに固定されている。操作部材３５は、１対のワイヤ３４を後方に向かって押出すための１対の突出部３５ａを含む。
【００２６】
１対の変位部材３１が前方に移動し、前方枠２１の後方端に係合している状態では、操作部材３５は、図７に示すように後端枠２２ｂの壁から外に突出している。この状態から、図８に示すように、操作部材３５を内側に押込むと、１対の突出部３５ａが１対のワイヤ３４を後方に押出すので、１対の変位部材３１はワイヤ３４に引っ張られて後方に引き戻され、前方枠２１との係合状態が解除される。操作部材３５の操作は片手で行なうことができるので、ロック状態の解除の操作が簡単である。
【００２７】
図９は、前方枠２１の後方端に設けられた係合手段４０を図解的に示している。係合手段４０は、連結軸２４の周りに、係合凹部４１と、当たり止め部４２と、当接案内面４３とを有する。係合凹部４１は、後方枠２２が水平位置にあるときに変位部材３１を受入れるものである。係合凹部４１と変位部材３１の先端部とが係合している状態では、変位部材３１および後方枠２２の上下方向の移動が禁止されるので、後方枠２２は水平位置で固定される。
【００２８】
後方枠２２を下方位置にもたらす場合には、操作部材３５を操作して変位部材３１を後方に引き戻し、係合凹部４１から脱出させる。その状態で後方枠２２を下方に回動させて、操作部材３５から手を離す。係合手段４０の当たり止め部４２は、後方枠２２が下方位置にあるときに変位部材３１に下から当接して変位部材３１および後方枠２２の更なる下方への移動を禁止するものである。
【００２９】
後方枠２２を上方位置にもたらす場合には、操作部材３５を操作して変位部材３１を後方に引き戻し、係合凹部４１から脱出させる。その状態で後方枠２２を上方に回動させて、操作部材３５から手を離す。係合手段４０の当接案内面４３は、後方枠２２が上方位置にあるとき変位部材３１の先端に当接してこの変位部材３１および後方枠の回動を許容する。すなわち、変位部材３１の先端が当接案内面４３上にあるときには、変位部材３１および後方枠２２は前方枠２１に対する角度を自由に変えながら移動することができる。
【００３０】
図３および図４に示すように、上方位置にある後方枠２２の後方端は連結部材１２を介して乳母車車体２に連結されているので、乳母車の折畳み動作に追従して前方枠２１に対する角度を変えながら上方に回動する。
【００３１】
図示した実施形態では、物品収納かご２０の前方枠２１が座部を下から支える座部支持部材を兼ねていたが、前方枠と座部支持部材とを別の部材で構成するようにしてもよい。
【００３２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３３】
この発明は、大きな容積の乳母車用物品収納かごおよびそのようなかごを備えた折畳式乳母車に有利に適用され得る。
【図面の簡単な説明】
【００３４】
【図１】この発明の一実施形態である折畳式乳母車を図解的に示す側面図である。
【図２】物品収納かごの後方枠が下方位置にもたらされている状態の乳母車の図解的側面図である。
【図３】物品収納かごの後方枠が上方位置にもたらされている状態の乳母車の図解的側面図である。
【図４】折畳み状態の乳母車の図解的側面図である。
【図５】物品収納かごの前方枠と後方枠との連結部分を示す図解的平面図である。
【図６】後方枠の前方端に位置する変位部材と前方枠の後方端とが係合している状態を示す図解的断面図である。
【図７】物品収納かごの後端枠に取付けられた操作部材に関連する構造を図解的に示す断面図である。
【図８】操作部材を押込んだ状態を示す図解的断面図である。
【図９】前方枠の後方端と後方枠の前方端とが係合している状態を示す図解図である。
【符号の説明】
【００３５】
１  折畳式乳母車、２  車体、３  座部、４  背もたれ部、５  手摺部材、６  前脚、７  前輪、８  後脚、９  後輪、１０  押棒、１１  反転ブラケット、１２  連結部材、２０  物品収納かご、２１  前方枠、２２  後方枠、２２ａ  側枠、２２ｂ  後端枠、２３  物品収容部、２４  連結軸、３０  ロック機構、３１  変位部材、３２  ばね、３３  ばね受け、３４  ワイヤ、３５  操作部材、３５ａ  突出部、３６  固定点、３７  ガイドピン、４０  係合手段、４１  係合凹部、４２  当たり止め部、４３  当接案内面、５０  ロック状態解除手段。
【図１】
2005329844.tif 000003
【図２】
2005329844.tif 000004
【図３】
2005329844.tif 000005
【図４】
2005329844.tif 000006
【図５】
2005329844.tif 000007
【図６】
2005329844.tif 000008
【図７】
2005329844.tif 000009
【図８】
2005329844.tif 000010
【図９】
2005329844.tif 000011